【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
コンピュータ実行方法であって、
サーバによって、配信者ページの広告スロット内に提示される１つ又は複数の広告を求める要求を受信する段階であって、前記配信者ページは前記広告スロットとは別の位置に設けられた配信者コンテンツを含む、段階と、
広告掲載選択プロセスが前記広告スロット内での掲載を選択する1又２以上の合格広告と、広告掲載選択プロセスが記広告スロット内での掲載を選択しない1又２以上の不合格広告とを、サーバによって1つ又は複数の広告から識別する段階と、
前記合格広告と不合格広告の広告分析要求をサーバにおいて受信する段階と、
前記要求に応答して、サーバによって前記広告分析を生成する段階と、を具備し、
前記広告分析は、前記広告選択プロセスで合格にする合格広告の少なくとも一つの理由と、前記広告選択プロセスで不合格にする不合格広告の少なくとも一つの理由とを識別し、
前記不合格広告は、前記広告が前記広告選択プロセスで不合格にした各理由に基づいてグループ化される
コンピュータ実行方法。
【請求項２】
前記要求は、配信者のコンピューティングシステムから受信される請求項１に記載の方法。
【請求項３】
更に、前記配信者ページの前記広告スロットに対して前記広告掲載選択プロセスから選択された少なくとも1つの新しい合格広告を生じさせるインプットを前記サーバにおいて受信する段階を含む請求項１に記載の方法。
【請求項４】
更に、前記配信者の識別子を前記サーバにおいて受信する段階を含む請求項１に記載の方法。
【請求項５】
更に、前記配信者コンテンツと関連付けられた地理的位置の識別子を前記サーバにおいて受信する段階を含む請求項１に記載の方法。
【請求項６】
更に、前記配信者のコンピューティングシステムへの１つ又は複数のインプット制御メニューと、前記配信者のコンピューティングシステムから広告分析要求を生成するように構成されたインプット制御の少なくとも一つとを提供する段階を含む請求項１に記載の方法。
【請求項７】
前記メニューを提供する段階は、配信者コンテンツに関係付けられた地理的位置の少なくとも１つ又は複数の識別子に基づいて１つ又は複数の広告を要求する段階とを含む請求項６記載の方法。
【請求項８】
更に、前記メニューを提供する段階は、広告分析へのリンクを有する配信者ページを変更する段階を含む請求項７記載の方法。
【請求項９】
更に、前記メニューを提供する段階は、前記配信者コンテンツとは別のメニュービューを提供する段階であって、前記メニュービューは広告分析へのリンクを有する段階を含む請求項７記載の方法。
【請求項１０】
コンピュータ可読記憶媒体に有形に具現化されるコンピュータプログラム製品であって、  実行されたときに、ディスプレイデバイス上にフロントエンドツールを生成する命令を有する前記コンピュータプログラム製品は、
広告選択プロセスによって配信者ページ上に配信用広告コンテンツを配信するように構成されたスケジューリングコンポーネントであって、前記広告コンテンツは、広告選択プロセスから選択された合格広告を含み、前記配信者ページは、前記広告コンテンツとは別の位置に設けられた配信者コンテンツに関係付けられた広告コンテンツの少なくとも一部を提示するように構成された、スケジューリングコンポーネントと、
コンテンツ分析コンポーネントとを有し、
前記コンテンツ分析コンポーネントは、配信者ページ上に配信された広告コンテンツの分析要求を受信し、
前記広告コンテンツと前記要求を使用して生成された分析ビューを配信者に提示するように構成され、
前記分析ビューは、合格広告を選択するとともに、不合格広告を拒否するための広告選択プロセスの少なくとも一つの理由を識別し、
更に、前記分析ビューは、広告が広告掲載選択プロセスによって拒否された各々の理由によって不合格広告をグループ化する
コンピュータプログラム製品。
【請求項１１】
コンピュータシステムであって、
１つ又は複数のプレセッサと、
１つ又は複数のプロセッサによって実行されるとき、１つ又は複数のプロセッサに処理を行わせる命令を記録し、かつ１つ又は複数のプロセッサに接続された記録デバイスと、
を有し、
前記配信者ページの広告スロット内に提示される１つ又は複数の広告要求を受信する段階であって、前記配信者ページは、前記広告スロットとは別の位置に設けられたコンテンツを有する、段階と、
前記１つ又は複数の広告から、１つ又は複数の合格広告と、１つ又は複数の不合格広告とを、掲載選択プロセスを介して識別する段階であって、１つ又は複数の合格広告だけが広告スロット内に掲載される、段階と、
合格広告と不合格広告との分析要求を受信する段階と、
前記要求に応答して前記広告分析を生成する段階とを有し、
前記広告分析は、広告掲載選択プロセスで合格する合格広告に対する少なくとも一つの理由と、広告掲載選択プロセスで不合格にする不合格広告の各々に対する少なくとも一つの理由とを識別し、
更に、前記広告分析は、広告が広告選択プロセスで不合格にされた各理由によって不合格広告をグループ化する
コンピュータシステム。
【請求項１２】
更に、前記動作は、配信者ページの広告スロットに対して広告選択プロセスから少なくとも一つの新しい合格広告を生じさせるインプットを受信する段階を含む請求項１１記載のコンピュータシステム。
【請求項１３】
更に、前記動作は、サーバにおいて前記配信者の識別子を受信する段階を含む請求項１１記載のコンピュータシステム。
【請求項１４】
更に、前記動作は、サーバにおいて配信者コンテンツに関係付けられた地理的位置の識別子を受信する段階を含む請求項１１記載のコンピュータシステム。
【請求項１５】
更に、前記動作は、コンピューティングシステムへの１つ又は複数のインプット制御メニューを提供する段階を含み、前記インプット制御の少なくとも一つは、コンピューティングシステムからの広告分析要求を生成するように構成される請求項１１記載のコンピュータシステム。
【請求項１６】
前記メニューを提供する段階は、配信者コンテンツに関係付けられた地理的位置の少なくとも１つ又は複数の識別子に基づいて１つ又は複数の広告を要求する段階を含む請求項１５記載のコンピュータシステム。
【請求項１７】
更に、前記メニューを提供する段階は、広告分析へのリンクを有する配信者ページを変更する段階を含む請求項１６記載のコンピュータシステム。
【請求項１８】
更に、前記メニューを提供する段階は、前記配信者コンテンツとは別のメニュービューを提供する段階を含み、前記メニュービューは、広告分析へのリンクを有する請求項１６記載のコンピュータシステム。
【請求項１９】
更に、前記ユーザは、配信者のコンピューティングシステムに対応する請求項１１記載のコンピュータシステム。
【請求項２０】
実行時に、１つ又は複数のコンピュータに動作を実行させるように１つ又は複数のコンピュータによって実行可能な命令を含むソフトウェアを記録する非一時的コンピュータ可読媒体であって、
配信者ページの広告スロット内に提示される１つ又は複数の広告要求を受信する段階であって、前記配信者ページは、広告スロットとは別の位置に設けられた配信者コンテンツを含む、段階と、
広告掲載選択プロセスを介して、前記１つ又は複数の広告から１つ又は複数の合格広告と、１つ又は複数の不合格広告を識別する段階であって、前記少なくとも１つ又は複数の合格広告だけが前記広告スロット内に配置される、段階と、
前記合格広告の広告分析要求と前記不合格広告の広告分析要求とを受信する段階と、
前記要求に応答して、前記広告分析を生成する段階とを含み、
前記広告分析は、広告掲載選択プロセスで合格する合格広告に対する少なくとも一つの理由と、広告掲載選択プロセスで不合格にする不合格広告に対する理由とを識別し、
前記不合格広告は、広告が広告選択プロセスで不合格にされた各理由によってグループ化される
非一時的コンピュータ可読媒体。
【請求項２１】
前記要求は、配信者のコンピューティングシステムから受信される請求項２０に記載の非一時的コンピュータ可読媒体。
【請求項２２】
更に、前記動作は、サーバにおいて前記配信者ページの広告スロットに対して広告選択プロセスから選択された少なくとも一つの新しい合格広告を生成するインプットを受信する段階を含む請求項２０記載の非一時的コンピュータ可読媒体。
【請求項２３】
更に、前記動作は、サーバにおいて前記配信者の識別子を受信する段階を含む請求項２０記載の非一時的コンピュータ可読媒体。
【請求項２４】
更に、前記動作は、サーバにおいて前記配信者のコンテンツに関係付けられた地理的位置の識別子を受信する段階を含む請求項２０記載の非一時的コンピュータ可読媒体。
【請求項２５】
更に、前記動作は、前記配信者のコンピューティングシステムへの１つ又は複数のインプット制御メニューを提供する段階であって、前記少なくとも一つのインプット制御は前記広告分析要求を生成するように構成される請求項２０記載の非一時的コンピュータ可読媒体。
【請求項２６】
メニューを提供する段階は、前記配信者コンテンツに関係付けられた地理的位置を識別する段階を含む請求項２５記載の非一時的コンピュータ可読媒体。
【請求項２７】
更に、メニューを提供する段階は、前記広告分析にリンクを有する配信者ページを変更する段階を含む請求項２５記載の非一時的コンピュータ可読媒体。
【請求項２８】
更に、メニューを提供する段階は、前記配信者コンテンツとは別のメニュービューを提供する段階であって、前記メニュービューは前記広告分析へのリンクを有する請求項２５記載の非一時的コンピュータ可読媒体。
【請求項２９】
コンピュータ実行方法であって、
コンピューティングシステムによって、配信者ページの広告スロット内に提示される１つ又は複数の広告要求を送信する段階であって、前記配信者ページは前記広告スロットとは別の位置に設けられた配信者コンテンツを含む、段階と、
前記コンピューティングシステムにおいて１つ又は複数の広告から選択された１つ又は複数の合格広告を受信する段階であって、前記１つ又は複数の合格広告は、前記広告スロット内に配置される、段階と、
前記コンピューティングシステムから配信者ページ上で前記広告スロット内で配信された広告コンテンツの分析要求を送信する段階と、
前記コンピューティングシステムにおいて前記広告分析を受信する段階とを含み、
前記広告分析は、広告掲載選択プロセスで合格にする合格広告に対する少なくとも一つの理由と、広告掲載選択プロセスで不合格にする不合格広告の各々に対する少なくとも一つの理由と、を識別し、
前記不合格広告は、広告が広告掲載選択プロセスで不合格にされた理由によってグループ化される
コンピュータ実行方法。